(57)【特許請求の範囲】
【請求項１】
オーディオデータと共に、該オーディオデータに関する静止画データおよび楽曲情報データと、該静止画データおよび楽曲情報データを識別する識別データと、該静止画データおよび楽曲情報データの表示手順を示すスクリプトとを伝送するようにしたデータ伝送方法において、
送信側では、伝送するオーディオデータのアルバムジャケット写真に関する静止画データおよび該オーディオデータの曲名または歌詞に関する楽曲情報データと、該静止画データの情報の種類および楽曲情報データの文字コード種を識別する識別データと、該静止画データおよび楽曲情報データの表示手順を示すスクリプトとのそれぞれを少なくとも含むコンテンツデータを作成し、
上記オーディオデータおよび上記コンテンツデータを送信し、
受信側では、上記オーディオデータおよび上記コンテンツデータを受信し、
受信された上記コンテンツデータに含まれる上記識別データにより該コンテンツデータに含まれる上記静止画データおよび楽曲情報データの情報の種類や文字コード種を識別し、
識別された情報の種類や文字コード種に基づいて選択された上記オーディオデータのアルバムジャケット写真に関する静止画データおよび上記オーディオデータの曲名または歌詞に関する楽曲情報データを、上記コンテンツデータに含まれる上記スクリプトにより実行される表示手順により画面の指定された位置に表示する
ようにしたデータ伝送方法。
【請求項２】
伝送するオーディオデータのアルバムジャケット写真に関する静止画データおよび該オーディオデータの曲名または歌詞に関する楽曲情報データと、該静止画データの情報の種類および楽曲情報データの文字コード種を識別する識別データと、該静止画データおよび楽曲情報データの表示手順を示すスクリプトとのそれぞれを少なくとも含むコンテンツデータを作成するコンテンツデータ作成手段と、
上記オーディオデータと、上記コンテンツデータ作成手段により作成された上記コンテンツデータとを送信する送信手段と
を備えるようにしたデータ伝送装置。
【請求項３】
送信側から伝送路を介して伝送されてきた、オーディオデータを受信すると共に、該オーディオデータに関する静止画データおよび楽曲情報データと、該静止画データおよび楽曲情報データを識別する識別データと、該静止画データおよび楽曲情報データの表示手順を示すスクリプトとを少なくとも含むコンテンツデータを受信するデータ受信装置において、
オーディオデータを受信すると共に、該オーディオデータのアルバムジャケット写真に関する静止画データおよび該オーディオデータの曲名または歌詞に関する楽曲情報データと、該静止画データの情報の種類および該楽曲情報データの文字コード種を識別する識別データと、該静止画データおよび楽曲情報データの表示手順を示すスクリプトとのそれぞれを少なくとも含むコンテンツデータを受信する受信手段と、
上記識別データにより上記静止画データおよび上記楽曲情報データの情報の種類や文字コード種を識別する識別手段と、
上記識別手段により識別された情報の種類や文字コード種に基づいて選択された上記オーディオデータのアルバムジャケット写真に関する静止画データおよび上記オーディオデータの曲名または歌詞に関する楽曲情報データを、上記スクリプトにより実行される表示手順により画面の指定された位置に表示する手段と
を備えるようにしたデータ受信装置。
【発明の詳細な説明】
【０００１】
【発明の属する技術分野】
この発明は、ディジタル衛星放送により音楽放送を行うシステムに用いて好適なデータ伝送方法、データ送信装置及び受信装置に関する。
【０００２】
【従来の技術】
ディジタル衛星放送の普及が進んでいる。ディジタル衛星放送は、既存のアナログ放送に比べて、ノイズやフェージングに強く、高品質の信号を伝送することが可能である。また、周波数利用効率が向上され、多チャンネル化が図れる。例えば、ディジタル衛星放送では１つの衛星で数百チャンネルを確保することが可能である。このようなディジタル衛星放送では、スポーツ、映画、音楽、ニュース等の専門チャンネルが多数用意されており、これらの専門チャンネルでは、それぞれの専門のコンテンツのプログラムが放映されている。
【０００３】
これらの専門チャンネルの中で、音楽チャンネルは、人気のあるチャンネルの１つであり、主に新曲やヒット曲の紹介等を行うプロモーション用の番組が放送されている。
【０００４】
上述のように、従来の音楽チャンネルでは、新曲紹介やヒット曲の番組が動画と音声で送られている。視聴者は、このような音楽チャンネルを見ていて気に入った楽曲があると、紹介されている楽曲のＣＤ等を購入して、楽しみたいと考えることがある。また、その楽曲のアーティストの情報や、その楽曲の収められているアルバムの情報を知りたくなることがある。音楽番組を見ていて、その楽曲のアーティストの情報やその楽曲の収められているアルバムの情報を知りたくなったら、その場でその情報が得られ、また、気に入った楽曲があったら、その楽曲のオーディオデータをダウンロードできれば非常に便利である。
【０００５】
ところが、従来の音楽チャンネルでは、楽曲に関する動画と音声が一方的に送られるものであり、このような要請には応えられない。
【０００６】
そこで、このような問題点を解決するために、音楽チャンネルで放送されている音楽に関する情報を簡単に得ることができると共に、その楽曲データをデータ蓄積装置に簡単にダウンロードできるようにした音楽コンテンツ配信システムが提案されている。
【０００７】
このような音楽コンテンツ配信システムでは、動画データやオーディオデータの他に、楽曲の情報、楽曲のアーティストの情報、曲の解説、歌詞等がテキストデータや、ＣＤジャケットの画像等の静止画データが送られてくる。このような音楽コンテンツ配信システムのチャンネルを受信して、必要な操作を行なうと、これらのテキストデータやジャケット等の静止画が画面上に表示される。
【０００８】
【発明が解決しようとする課題】
このような音楽コンテンツ配信システムでは、受信した楽曲データは、例えば、ＭＤ（Mini Disc ）レコーダ／プレーヤで記録される。ＭＤでは、音楽データの他に、曲名等のテキストデータを記録することができる。更に、ＭＤに静止画データを記録することが提案されている。
【０００９】
そこで、楽曲データをＭＤレコーダ／プレーヤで記録する際に、楽曲データだけでなく、楽曲の情報、楽曲のアーティストの情報、曲の解説、歌詞等のテキストデータも、簡単に記録できるようにすることが望まれる。また、ＭＤレコーダ／プレーヤが静止画を記録できる機能を有している場合には、ジャケットの画像等の静止画データを記録できることが望まれる。
【００１０】
ところが、衛星放送で送られるテキストデータのコード体系は、文字放送多重コードのサブセットであるのに対して、ＭＤで記録する場合のテキストデータは、ＡＳＣＩＩコードやミュージックシフトＪＩＳコードであり、そのコード体系が異なっている。また、静止画についても、放送画面上では小さなウィンドウで生じされるため、そのままＭＤに記録すると、画サイズが不足する。
【００１１】
このように、テキストデータについては、表示用のコード体系と、記録用のコード体系とが異なっている。また、静止画についても、表示用に最適な画サイズと記録用に最適な画サイドは異なっている。このため、テキストデータや静止画データについて、表示用のデータと記録用のデータとを同一のものを使用すると、コード変換の処理が必要となり、処理が複雑化し、ハードウェアの増大を招く。
【００１２】
したがって、この発明の目的は、表示用のデータとダウンロード用のデータとで表示形式が異なる場合にも簡単に対応できるデータ伝送方法、データ送信装置及び受信装置を提供することにある。
【００１３】
【課題を解決するための手段】
この発明は、オーディオデータと共に、オーディオデータに関する静止画データおよび楽曲情報データと、静止画データおよび楽曲情報データを識別する識別データと、静止画データおよび楽曲情報データの表示手順を示すスクリプトとを伝送するようにしたデータ伝送方法において、送信側では、伝送するオーディオデータのアルバムジャケット写真に関する静止画データおよびオーディオデータの曲名または歌詞に関する楽曲情報データと、静止画データの情報の種類および楽曲情報データの文字コード種を識別する識別データと、静止画データおよび楽曲情報データの表示手順を示すスクリプトとのそれぞれを少なくとも含むコンテンツデータを作成し、オーディオデータおよびコンテンツデータを送信し、受信側では、オーディオデータおよびコンテンツデータを受信し、受信されたコンテンツデータに含まれる識別データによりコンテンツデータに含まれる静止画データおよび楽曲情報データの情報の種類や文字コード種を識別し、識別された情報の種類や文字コード種に基づいて選択されたオーディオデータのアルバムジャケット写真に関する静止画データおよびオーディオデータの曲名または歌詞に関する楽曲情報データを、コンテンツデータに含まれるスクリプトにより実行される表示手順により画面の指定された位置に表示するようにしたデータ伝送方法である。
【００１４】
この発明は、伝送するオーディオデータのアルバムジャケット写真に関する静止画データおよびオーディオデータの曲名または歌詞に関する楽曲情報データと、静止画データの情報の種類および楽曲情報データの文字コード種を識別する識別データと、静止画データおよび楽曲情報データの表示手順を示すスクリプトとのそれぞれを少なくとも含むコンテンツデータを作成するコンテンツデータ作成手段と、オーディオデータと、コンテンツデータ作成手段により作成されたコンテンツデータとを送信する送信手段とを備えるようにしたデータ伝送装置である。
【００１５】
この発明は、送信側から伝送路を介して伝送されてきた、オーディオデータを受信すると共に、オーディオデータに関する静止画データおよび楽曲情報データと、静止画データおよび楽曲情報データを識別する識別データと、静止画データおよび楽曲情報データの表示手順を示すスクリプトとを少なくとも含むコンテンツデータを受信するデータ受信装置において、オーディオデータを受信すると共に、オーディオデータのアルバムジャケット写真に関する静止画データおよびオーディオデータの曲名または歌詞に関する楽曲情報データと、静止画データの情報の種類および楽曲情報データの文字コード種を識別する識別データと、静止画データおよび楽曲情報データの表示手順を示すスクリプトとのそれぞれを少なくとも含むコンテンツデータを受信する受信手段と、識別データにより静止画データおよび楽曲情報データの情報の種類や文字コード種を識別する識別手段と、識別手段により識別された情報の種類や文字コード種に基づいて選択されたオーディオデータのアルバムジャケット写真に関する静止画データおよびオーディオデータの曲名または歌詞に関する楽曲情報データを、スクリプトにより実行される表示手順により画面の指定された位置に表示する手段とを備えるようにしたデータ受信装置である。
【００１６】
付加データとして、互いに同一の内容で表示形式の異なる表示用のデータとダウンロード用のデータとを送るようにしている。すなわち、画面表示用の文字放送多重コードのサブセットのテキストデータと、ダウンロード用のＡＳＣＩＩコードやミュージックシフトＪＩＳコードのテキストデータとの２つのフォーマットで、同一のテキストデータを送信している。また、静止画像についても、表示用の小さめの画サイズのものと、ダウンロード用の大きめの画サイズのものの、２つのサイズのものが形成される。このため、付加データを直接表示したり、ストリージデバイスに送ることができ、フォーマット変換が不要である。
【００１７】
【発明の実施の形態】
以下、この発明の実施の形態について図面を参照して説明する。この発明が適用されたシステムは、ディジタル衛星放送を使用して音楽番組を放送すると共に、この音楽番組と関連するオーディオデータを配信することにより、視聴者が音楽番組を試聴できるようにし、さらに、試聴して気に入った楽曲があった場合に、その場でその楽曲を簡単に購入できるようにしたものである。
【００１８】
図１は、この発明が適用された音楽コンテンツ配信システムの全体構成を示すものである。この図に示すように、ディジタル衛星放送の地上局１には、テレビジョン番組素材サーバ６からのテレビジョン番組放送の素材と、楽曲素材サーバ７からの楽曲データの素材と、音声付加情報サーバ８からの音声付加情報と、ＧＵＩ（Graphical User Interface：グラフィカルユーザインタフェース）データサーバ９からのＧＵＩデータとが送られる。
【００１９】
テレビジョン番組素材サーバ６は、通常の音楽放送番組の素材を提供するサーバである。このテレビジョン番組素材サーバ６から送られてくる音楽放送の素材は動画及び音声であり、通常の音楽放送番組では、例えば、新曲紹介のプロモーション用の動画と音声が放送されたり、最新のヒット曲のカウントダウンが放送されたりする。
【００２０】
楽曲素材サーバ７は、オーディオチャンネルを使用して、オーディオ番組を提供するサーバである。このオーディオ番組の素材は音声のみである。この楽曲素材サーバ７は、複数のオーディオチャンネルのオーディオ番組の素材を地上局１へ送る。各オーディオチャンネルの番組放送では、それぞれ、同一の楽曲が所定の単位時間繰り返して放送される。各オーディオチャンネルは、それぞれ、独立しており、その利用方法は各種のものが考えられる。例えば、１つのオーディオチャンネルでは、最新の日本のポップスの中の推薦曲を所定時間繰り返して放送し、他のオーディオチャンネルでは、最新のアメリカンポップスの中の推薦曲を所定時間繰り返して放送し、さらに他のオーディオチャンネルでは、ジャズの中から推薦曲を所定時間繰り返して放送しても良い。また、同じアーティストの複数の楽曲をそれぞれのオーディオチャンネルに分けて繰り返して放送しても良い。
【００２１】
音声付加情報サーバ８は、楽曲素材サーバ７から出力される楽曲の時間情報を提供するものである。
【００２２】
ＧＵＩデータサーバ９は、配信される楽曲のリストページや各楽曲の情報ページの画面を形成するためのデータ、ジャケットの静止画データを形成するためのデータ、ＥＰＧ（Electric Program Guide）用の画面を形成するためのデータ等を提供するものである。詳細は後で説明するように、この発明が適用されるシステムでは、画面上のＧＵＩの操作により、配信される楽曲の歌詞やアーティストのコンサート情報等を画面に表示させることができる。また、画面上のＧＵＩの操作により、楽曲の選択、ダウンロードおよびその予約等を行うことができる。ＧＵＩデータサーバ９からは、そのためのデータが送られる。なお、このＧＵＩデータには例えばＭＨＥＧ（Multimedia and Hypermedia Information Coding Experts Group）方式が用いられる。
【００２３】
地上局１は前述した、テレビジョン番組素材サーバ６からの音楽番組放送の素材となるビデオデータ及びオーディオデータと、楽曲素材サーバ７からのオーディオチャンネルの素材となるオーディオデータと、音声付加情報サーバからの音声付加情報と、ＧＵＩデータサーバ９からのＧＵＩデータとを多重化して送信する。このとき、テレビジョン番組放送のビデオデータは例えばＭＰＥＧ（Moving Picture Experts Group）方式により圧縮され、テレビジョン番組放送のオーディオデータはＭＰＥＧオーディオ方式により圧縮される。各オーディオチャンネルのオーディオデータは二つの異なる方式、例えばＭＰＥＧオーディオ方式とＡＴＲＡＣ（Adaptive Transform Acoustic Coding）方式により圧縮される。また、これらのデータは多重化の際、キー情報サーバ１０からのキー情報を用いて暗号化される。
【００２４】
なお、ディジタル衛星放送システムでは、課金契約として、所定期間毎に所定の料金が支払われるフラット方式と、コンテンツが視聴される毎にそのコンテンツに応じて料金が支払われるＰＰＶ方式とがある。メインとなるテレビジョン番組は、フラット方式で課金が行なわれ、ダウンロードする音楽データに対して、ＰＰＶ方式で課金が行なわれる。ＰＰＶ方式では、１イベントを単位として、スクランブルが行なわれており、音楽データの場合には、１イベント内に同一の音楽データが複数回繰り返して送信される。
【００２５】
地上局１からの信号は、衛星２を介して各家庭の受信設備３で受信される。衛星２には複数のトランスポンダが搭載されている。１つのトランスポンダは例えば３０Ｍｂｐｓの伝送能力を有している。各家庭の受信設備３としてはパラボラアンテナ１１と、ＩＲＤ（Integrated Receiver Decoder ）１２と、ストレージデバイス１３と、テレビジョンジョン受像機１４とが用意される。
【００２６】
パラボラアンテナ１１で、衛星２を介して送られてきた信号が受信される。この受信信号がパラボラアンテナ１１に取り付けられたＬＮＢ（Low Noise Block Downconverter ）１５で所定の周波数に変換され、ＩＲＤ１２に供給される。
【００２７】
ＩＲＤ１２は、受信信号から所定のプログラムの番組を選択し、ビデオデータ及びオーディオデータの復調を行うものである。また、ＩＲＤ１２は、配信される楽曲のリストページや、各楽曲の情報ページや、ＥＰＧ用の画面を形成する。そして、ＩＲＤ１２の出力はテレビジョンジョン受像機１４に供給される。
【００２８】
ストレージデバイス１３は、ダウンロードされたオーディオデータを保存するためのものである。例えば、ストレージデバイス１３としては、ＭＤ（Mini Disc ）レコーダ／プレーヤ、ＤＡＴ（Digital Audio Tape）レコーダ／プレーヤ、ＤＶＤ（Digital Video Disc）レコーダ／プレーヤ等を用いることができる。また、ストレージデバイス１３としてパーソナルコンピュータを用い、そのハードディスクやＣＤ−Ｒ（CD-Recordable ）にオーディオデータを保存することも可能である。
【００２９】
ＩＲＤ１２は、例えば電話回線４を介して課金サーバ５と結ばれている。ＩＲＤ１２には、各種情報が記憶されるＩＣカードが挿入される。楽曲のオーディオデータのダウンロードが行われると、その情報がＩＣカードに記憶される。このＩＣカードの情報は、電話回線４を介して、課金サーバ５に送られる。課金サーバ５は、このダウンロード情報から適切な課金を行い、視聴者に請求する。このように、適切な課金を行うことにより、ダウンロードされる楽曲の著作権を保護することができる。
【００３０】
このように、この発明が適用されたシステムでは、地上局１は、テレビジョン番組素材サーバ６からの音楽番組放送の素材となるビデオデータおよびオーディオデータと、楽曲素材サーバ７からのオーディオチャンネルの素材となるオーディオデータと、音声付加情報サーバ８からの音声付加情報データと、ＧＵＩデータサーバ９からのＧＵＩデータとを多重化して送信している。そして、各家庭の受信設備３でこの放送を受信すると、音楽番組が見られる他、送られてきたＧＵＩデータに基づいてＧＵＩ画面が表示される。このＧＵＩ画面を見ながら必要な操作を行うと、各楽曲についての情報ページを見ることができ、また、各楽曲についての試聴を行うことができる。さらに、ＧＵＩ画面を見ながら必要な操作を行うことで、所望の楽曲のオーディオデータをダウンロードして、ストレージデバイス１３に記憶することができる。
【００３１】
次に、受信設備３における視聴者の操作について、さらに詳細に説明する。各家庭の受信設備３でこの放送を受信すると、テレビジョン受像機１４に、図２示すような画面が表示される。画面の左上部のテレビジョン番組表示エリア２１Ａには、テレビジョン番組素材サーバ６から提供された音楽番組に基づく動画像が表示される。画面の右上部には、オーディオチャンネルで放送されている各チャンネルの楽曲のリスト２１Ｂが表示される。また、画面の左下にはテキスト表示エリア２１Ｃとジャケット表示エリア２１Ｄが設定される。さらに、画面の右側には歌詞表示ボタン２２、プロフィール表示ボタン２３、情報表示ボタン２４、予約録音ボタン２５、予約済一覧表示ボタン２６、録音履歴表示ボタン２７、ダウンロードボタン２８が表示される。
【００３２】
視聴者は、このリスト２１Ｂに表示されている楽曲名を見ながら、興味のある楽曲を探していく。そして、興味のある楽曲を見つけたら、リモートコマンダの矢印キーを操作してその楽曲にカーソルを合わせた後、ＩＲＤ１２に付属するリモートコマンダのエンターキーを押す。これによって、カーソルを合わせた楽曲を試聴することができる。すなわち、各オーディオチャンネルでは、所定の単位時間中、同一の楽曲が繰り返し放送されているので、テレビジョン番組表示エリア２１Ａの画面はそのままで、その楽曲のオーディオチャンネルに切り換えられ、その楽曲を聞くことができる。この時、ジャケット表示エリア２１Ｄにはその楽曲のＣＤジャケットの静止画像が表示される。
【００３３】
この状態で歌詞表示ボタン２２にカーソルを合わせ、エンターキーを押す（以下、ボタンにカーソルを合わせ、エンターキーを押す操作をボタンを押すという）と、テキスト表示エリア２１Ｃに楽曲の歌詞がオーディオデータと同期したタイミングで表示される。同様に、プロフィール表示ボタン２３あるいは情報表示ボタン２４を押すと、楽曲に対応するアーティストのプロフィールあるいはコンサート情報等がテキスト表示エリア２１Ｃに表示される。このように、視聴者は、現在どのような楽曲が配信されているのかを知ることができ、各楽曲についての詳細な情報を知ることができる。
【００３４】
視聴者は試聴した楽曲を購入したい場合には、ダウンロードボタン２８を押す。ダウンロードボタン２８が押されると、選択された楽曲のオーディオデータがダウンロードされ、ストレージデバイス１３に記憶される。楽曲のオーディオデータと共に、その歌詞データ、アーティストのプロフィール情報、ジャケットの静止画データ等をダウンロードすることもできる。楽曲がダウンロードされる毎にその情報がＩＲＤ１２内のＩＣカードに記憶される。ＩＣカードに記憶された情報は、例えば１カ月に一度ずつ課金サーバ５に吸い上げられる。これによって、ダウンロードされる楽曲の著作権を保護することができる。
【００３５】
また、視聴者はあらかじめダウンロードの予約を行いたい場合には、予約録音ボタン２５を押す。このボタンを押すと、ＧＵＩ画面が切り換わり、予約が可能な楽曲のリストが画面全体に表示される。このリストは１時間単位、１週間単位、ジャンル単位等で検索した楽曲を表示することか可能である。視聴者はこのリストの中からダウンロードの予約を行いたい楽曲を選択すると、その情報がＩＲＤ１２内に登録される。そして、すでにダウンロードの予約を行った楽曲を確認したい場合には、予約済一覧表示ボタン２６を押すことにより、画面全体に表示させることができる。このようにして予約された楽曲は、予約時刻になるとＩＲＤ１２によりダウンロードされ、ストレージデバイス１３に記憶される。
【００３６】
視聴者はダウンロードを行った楽曲について確認したい場合には、録音履歴ボタン２７を押すことにより、既にダウンロードを行った楽曲のリストを画面全体に表示させることかできる。
【００３７】
このように、この発明が適用されたシステムの受信設備３では、テレビジョン受像機１４のＧＵＩ画面上に楽曲のリストが表示される。そして、このＧＵＩ画面上の表示にしたがって楽曲を選択するとその楽曲を試聴することができ、その楽曲の歌詞やアーティストのプロフィール等を知ることができる。さらに、楽曲のダウンロードとその予約、ダウンロードの履歴や予約済楽曲リストの表示等を行うことかできる。
【００３８】
以上、説明したように、この発明が適用された音楽コンテンツ配信システムでは、音楽放送番組が配信されると共に、複数のオーディオチャンネルを使用して楽曲のオーディオデータが配信される。そして、配信されている楽曲のリスト等を使用して所望の楽曲を探し、そのオーディオデータをストレージデバイス１３に簡単に保存することができる。以下、このようなシステムについて、更に詳述する。
【００３９】
図３はこの発明が適用された音楽コンテンツ配信システムにおける地上局１の構成を示すものである。
【００４０】
図３において、テレビジョン番組素材登録システム３１からの素材データはＡＶサーバ３５に登録される。この素材データはビデオデータとオーディオデータである。ＡＶサーバ３５に登録されたデータは、テレビジョン番組送出システム３９に送られ、ここでビデオデータは例えばＭＰＥＧ２方式で圧縮され、オーディオデータは例えばＭＰＥＧ２オーディオ方式により圧縮されパケット化される。テレビジョン番組送出システム３９の出力はマルチプレクサ４４に送られる。
【００４１】
また、楽曲素材登録システム３２からのオーディオデータは、ＭＰＥＧ２オーディオエンコーダ３６ＡおよびＡＴＲＡＣエンコーダ３６Ｂに供給され、各々エンコードされた後、ＭＰＥＧオーディオサーバ４０ＡおよびＡＴＲＡＣオーディオサーバ４０Ｂに登録される。ＭＰＥＧオーディオサーバ４０Ａに登録されたＭＰＥＧオーディオデータは、ＭＰＥＧオーディオ送出システム４３Ａに送られ、ここでパケット化された後、マルチプレクサ４４に送られる。ＡＴＲＡＣオーディオサーバ４０Ｂに登録されたＡＴＲＡＣデータは、ＡＴＲＡＣオーディオ送出システム４３Ｂに４倍速ＡＴＲＡＣデータとして送られ、ここでパケット化された後、マルチプレクサ４４に送られる。
【００４２】
さらに、音声付加情報登録システム３３からの音声付加情報は、音声付加情報データベース３７に登録される。音声付加情報データベース３７に登録された音声付加情報は、音声付加情報送出システム４１に送られ、ここでパケット化された後、マルチプレクサ４４に送られる。
【００４３】
また、ＧＵＩ用素材登録システム３４からのＧＵＩデータは、ＧＵＩ素材データベース３８に登録される。ＧＵＩ素材データベース３８に登録されたＧＵＩ素材データは、ＧＵＩオーサリングシステム４２に送られ、ここでＧＵＩ用の画面のデータが処理され、パケット化された後、マルチプレクサ４４に送られる。ここで、ＧＵＩ素材データにはジャケットの静止画情報、楽曲の歌詞情報、アーティストのコンサート情報等が含まれるが、静止画情報は例えばＪＰＥＧ(Joint Photographic Experts Group)方式で圧縮される。
【００４４】
ところで、ストレージデバイス１３（図１）としてＭＤレコーダ／プレーヤを用いた場合には、ＭＤに歌詞等のテキストデータを直接記録することができる。また、ＭＤにおいて、静止画を記録可能としたものが提案されている。ストレージデバイス１３としてＭＤレコーダ／プレーヤを用いた場合には、ジャケット等の静止画情報や楽曲のタイトル等のテキストデータを、受信機側のテレビジョン受像機１４に表示すると共に、ＭＤにそのまま記録できるようにすることが望まれる。
【００４５】
ところが、衛星放送で送られるテキストデータのコード体系は、文字放送多重コードのサブセットであるのに対して、ＭＤで記録する場合のテキストデータは、ＡＳＣＩＩコードやミュージックシフトＪＩＳコードであり、そのコード体系が異なっている。
【００４６】
そこで、オーサリングシステム４２においては、テレビジョン受像機１４に表示するための文字放送多重コードのサブセットのテキストデータと、ストレージデバイス１３にダウンロード用のＡＳＣＩＩコードやミュージックシフトＪＩＳコードのテキストデータとの２つのフォーマットで、同一のテキストデータを形成している。また、静止画像についても、ジャケット表示エリア２１Ｄ（図２）に表示するための小さめの画サイズのものと、ストレージデバイス１３にダウンロードし、画面全体を使って表示するフルサイズのものの、２つのサイズのものが形成される。
【００４７】
そして、これらのＧＵＩデータは、ＭＨＥＧ５方式に基づいて送られている。静止画像、音声等のモノメディアは、表示手順（ファイル情報、リンク情報、時刻情報、イベント）等を示すスクリプトと共にＭＨＥＧ５のコンテンツが作成される。作成されたコンテンツは、ＤＳＭ−ＣＣ（Digital Storage Media-Command and Control ）のフォーマットで伝送される。
【００４８】
つまり、ＭＨＥＧコンテンツとしてＤＳＭ−ＣＣのフォーマットでこれらのデータを送る場合には、図４に示すようにしてデータが送られる。図４に示すように、ＭＨＥＧスクリプトコンテンツは、ディレクトリ構造とされている。この中のファイルがテキスト及び静止画データである。各静止画像やテキスト等のファイルは、表示用のファイルＦ１、Ｆ１１、Ｆ２１と、ダウンロード用のファイルＦ２、Ｆ２２、３２の２種類が用意される。各ファイルのファイル本体には、情報の種類、文字コード種等を識別するヘッダ部が設けられる。これを送出する際には、ディレクトリが付加され、更に、ＴＳパケット化、セクション化のプロセスを経て、送出される。したがって、受信側では、ヘッダを参照すれば、情報の種類や文字コード種等を識別できる。
【００４９】
図３において、マルチプレクサ４４においては、テレビジョン番組送出システム３９からのビデオパケットおよびオーディオパケットと、ＭＰＥＧオーディオ送出システム４３Ａからのオーディオパケットと、ＡＴＲＡＣオーディオ送出システム４３Ｂからの４倍速オーディオパケットと、音声付加情報送出システム４１からの音声付加情報パケットと、ＧＵＩオーサリングシステム４２からのＧＵＩデータパケットとが時間軸多重化されると共に、キー情報サーバ１０（図１）からのキー情報を用いて暗号化される。
【００５０】
マルチプレクサ４４の出力は電波送出システム４５に送られ、ここで誤り訂正符号の付加、変調、および周波数変換等の処理を施された後、アンテナから衛星２に向けて送信される。
【００５１】
図５は地上局１から送信されるデータの一例を示すものである。なお、この図に示す各データは実際には時間軸多重化されている。図５に示すように、時刻ｔ1 から時刻ｔ2 の間が１つのイベントとされ、時刻ｔ２から次のイベントとされる。イベントとは楽曲のラインナップを変える単位であって、３０分または１時間を単位とするのが普通である。例えば、最新ヒット曲のトップ２０の２０位から１１位を先のイベントで放送し、１０位から１位を後のイベントで放送すること等が考えられる。そして、このイベントが暗号化の単位となっている。
【００５２】
図５に示すように、時刻ｔ1 から時刻ｔ2 のイベントでは、通常の動画の番組放送で、所定の内容Ａ１を有する音楽番組が放送されている。また、時刻ｔ2 から始まるイベントでは、所定の内容Ａ２を有する音楽番組が放送されている。この通常の音楽番組で放送されているのは、動画と音声である。
【００５３】
オーディオチャンネルは、例えば、チャンルＣＨ１からＣＨ１０の１０チャンネル分用意される。このとき、各オーディオチャンネルＣＨ１、ＣＨ２、ＣＨ３、・・・ＣＨ１０では、１つのイベントの間、同一の楽曲が繰り返して送信される。すなわち、時刻ｔ1 から時刻ｔ2 のイベントでは、オーディオチャンネルＣＨ１では、楽曲Ｂ１が繰り返して送信され、オーディオチャンネルＣＨ２では楽曲Ｃ１が繰り返して送信され、以下、同様にオーディオチャンネルＣＨ１０では楽曲Ｋ１が繰り返して送信される。時刻ｔ２から始まるイベントでは、オーディオチャンネルＣＨ１では、楽曲Ｂ２が繰り返して送信され、オーディオチャンネルＣＨ２では楽曲Ｃ２が繰り返して送信され、以下、同様にオーディオチャンネルＣＨ１０では楽曲Ｋ２が繰り返して送信される。これは、ＭＰＥＧオーディオチャンネルおよび４倍速ＡＴＲＡＣオーディオチャンネルに共通である。
【００５４】
つまり、図５において、ＭＰＥＧオーディオチャンネルと４倍速ＡＴＲＡＣオーディオチャンネルのチャンネル番号である（  ）内の数字が同じものは同じ楽曲に関するものである。また、音声付加情報のチャンネル番号である（  ）内の数字は、同じチャンネル番号を有するオーディオデータに付加されている音声付加情報である。さらに、ＧＵＩデータとして伝送される静止画データやテキストデータも各チャンネル毎に形成される。これらのデータはＭＰＥＧ２のトランスポートパケット内で時分割多重化されて送信され、ＩＲＤ１２内では各データパケットのヘッダ情報を用いて再構築される。
【００５５】
次に、各家庭の受信設備３について説明する。図１に示したように、各家庭の受信設備としては、パラボラアンテナ１１と、ＩＲＤ１２と、ストレージデバイス１３と、テレビジョン受像機１４とが用意される。ここではＩＲＤ１２として、図６Ａに示すように、アナログオーディオ出力端子Ａｏｕｔと、光ケーブルでオーディオデータを送るＩＥＣ９５８等のディジタルオーディオ出力端子Ｄｏｕｔと、ＩＥＥＥ１３９４等のディジタルインタフェース端子Ｄｉｆとを備えている。したがって、ストレージデバイス１３としては、アナログオーディオ入力端子Ａｉｎしか備えていないもの、ＩＥＣ９５８等のＰＣＭオーディオ入力端子Ｄｉｎを備えているもの、ＩＥＥＥ１３９４等の双方向ディジタルインタフェース端子Ｄｉｆを備えているものを接続することができる。
【００５６】
図６Ｂに示すように、ストレージデバイスとしてアナログオーディオ入力端子Ａｉｎしか備えていないストレージデバイス１３Ａが用いられた場合には、ＩＲＤ１２のアナログ出力端子Ａｏｕｔと、ストレージデバイス１３Ａのアナログ入力端子Ａｉｎとがアナログケーブルにより接続される。また、図６Ｃに示すように、ストレージデバイスとしてＩＥＣ９５８等のＰＣＭオーディオ入力端子Ｄｉｎを備えているストレージデバイス１３Ｂが用いられた場合には、ＩＲＤ１２のディジタル出力端子Ｄｏｕｔとストレージデバイス１３Ｂのディジタル入力端子Ｄｉｎとの間が例えばＩＥＣ９５８の光ファイバで接続される。さらに、図６Ｄに示すように、ストレージデバイスとしてＩＥＥＥ１３９４等の双方向ディジタルインタフェース端子Ｄｉｆを備えているストレージデバイス１３Ｃが用いられた場合には、ＩＲＤ１２のディジタルインタフェース端子Ｄｉｆとストレージデバイス１３Ｃのディジタルインタフェース端子Ｄｉｆとの間がディジタルインタフェースケーブルで接続される。
【００５７】
図６Ｂに示すように、ストレージデバイスとしてディジタル入力端子を有していないものを用いた場合には、ダウンロードされたＭＰＥＧオーディオデータは、ＩＲＤ１２内でＭＰＥＧ２のデコード処理を施され、さらにＤ／Ａ変換されて、アナログのオーディオ出力端子Ａｏｕｔから出力される。そして、ＩＲＤ１２からアナログケーブルを介してストレージデバイス１３Ａに送られる。なお、この場合、ＩＲＤ１２とストレージデバイス１３Ａとの間に、赤外線等の無線通信、あるいはケーブルによる有線通信を用いて制御信号のやりとりを行い、接続関係の確認やダウンロード動作の確認を行うように構成することも可能である。
【００５８】
図６Ｃに示すように、ストレージデバイスとしてＰＣＭオーディオ入力端子Ｄｉｎを備えているストレージデバイス１３Ｂが用いられた場合には、ダウンロードされたＭＰＥＧオーディオデータは、ＩＲＤ１２内でＭＰＥＧ２のデコード処理を施され、ＩＲＤ１２からＰＣＭオーディオデータで出力される。そして、ＩＲＤ１２から、例えばＩＥＣ９５８の光ケーブルを介してストレージデバイス１３Ｂに送られる。この場合も、ＩＲＤ１２とストレージデバイス１３Ａとの間に、赤外線等の無線通信、あるいはケーブルによる有線通信を用いて制御信号のやりとりを行い、接続関係の確認やダウンロード動作の確認を行うように構成することも可能である。
【００５９】
図６Ｄに示した場合の具体例として、ＩＥＥＥ１３９４等の双方向ディジタルインタフェース端子Ｄｉｆを備えているＭＤレコーダ／プレーヤがストレージデバイスとして用いられた場合には、ダウンロードされた４倍速ＡＴＲＡＣデータは、そのままＩＲＤ１２から、例えばＩＥＥＥ１３９４のディジタルインタフェースケーブルを介してストレージデバイスに送られる。
【００６０】
このように、ストレージデバイス１３として使用される機器としては、アナログ入力のもの、ＰＣＭオーディオデータを入力するもの、ＡＴＲＡＣのデータを入力するのものの３系統のものがあり得る。
【００６１】
図７はＩＲＤ１２の構成の一例を示すものである。このＩＲＤ１２は外部端子あるいはインタフェースとして、入力端子Ｔ１、アナログビデオ出力端子Ｔ２、アナログオーディオ出力端子Ｔ３，Ｔ４、光ディジタル出力インタフェース５９、ＩＥＥＥ１３９４インタフェース６０、マンマシンインタフェース６１、ＩＣカードスロット６２、およびモデム６３を備えている。
【００６２】
入力端子Ｔ１に入力された受信信号はチューナー５１に供給される。チューナー５１で、制御用ＣＰＵ（Central Processing Unit ）５８からの設定信号に基づい、受信信号の中から所定の搬送波周波数の信号が選択される。そして、この受信信号がＱＰＳＫ（Quadrature Phase Shift Keying ）復調され、更に、誤り訂正処理が施されて、ＭＰＥＧトランスポートストリームが出力される。
【００６３】
チューナー５１の出力は、デスクランブラ５２に供給される。デスクランブラ５２には、受信されたＥＣＭデータ及びＥＭＭデータが入力されると共に、ＩＣカード６５に記憶されているデスクランブル用の鍵データがＩＣカードスロット６２と制御用ＣＰＵ５８とを介して入力される。デストランブラ５３は、この受信されたＥＣＭデータ及びＥＭＭデータと、ＩＣカード６５の鍵データを用いて、ＭＰＥＧトランスポートストリームのデスクランブルを行なう。デスクランブルされたＭＰＥＧトランスポートストリームはトランスポートＩＣ５３に送られる。
【００６４】
トランスポートＩＣ５３は、ＣＰＵ５８からの指令に基づいて、デスクランブラ５２からのストリームの中から、所望のパケットを分離するものである。伝送パケットには、ヘッダ部にパケット識別子（ＰＩＤ）が設けられる。このＰＩＤに基づいて、所望のパケットが抽出され、このパケットがＭＰＥＧオーディオデコーダ５４、ＭＰＥＧビデオデコーダ５５に送られる。
【００６５】
映像信号のパケットは、ＭＰＥＧビデオデコーダ５５に送られる。音声信号のパケットは、ＭＰＥＧオーディオデコーダ５４に送られる。
【００６６】
ＭＰＥＧビデオデコーダ５５は、トランスポートＩＣ５３からの映像信号のパケットを受け取り、ＭＰＥＧ２方式のデコード処理を行なって、データ圧縮前のビデオデータを形成する。このビデオデータは、ＮＴＳＣ変換回路５７に供給され、ＮＴＳＣ変換回路５７で、ＭＰＥＧビデオデコーダ５５でデコードされたビデオデータがコンポジットビデオ信号に変換され、アナログ信号に変換される。このＮＴＳＣ変換回路５７の出力がアナログビデオ出力端子Ｔ２からテレビジョン受像機１４へ出力される。
【００６７】
ＭＰＥＧオーディオデコーダ５４は、トランスポートＩＣ５３からの映像信号のパケットを受け取り、ＭＰＥＧ方式の音声デコード処理を行なって、データ圧縮前のオーディオデータを形成する。デコードされたオーディオデータは、ＤＡコンバータ５６でアナログオーディオ信号に変換された後、アナログオーディオ出力端子Ｔ３からテレビジョン受像機１４へ出力される。また、オーディオデコーダ５４でデコードされたオーディオデータは、光ディジタル出力インターフェース５９に送られる。
【００６８】
受信信号の搬送波周波数の設定は、視聴者がリモコン６４から入力したチャンネル設定信号に基づいて行なわれる。所望のチャンネルの番組を設定する時には、ＮＩＴ（Network Information Table ）を参照することにより、チューナー５１の受信周波数が所定の搬送波周波数に設定される。そして、その搬送波周波数でのチャンネルに関する情報であるＰＡＴ（Program Association Table ）のパケットを参照して、所望のチャンネルに関する情報であるＰＭＴ（Program Map Table ）のＰＩＤのパケットが抽出される。このＰＭＴを参照することにより、所望のチャンネルの映像、音声、付加データのパケットのＰＩＤが得られる。
【００６９】
更に、ＰＭＴには、このチャンネルに関連するサブチャンネルがある場合には、このサブチャンネルのＰＭＴを記述できる。このサブチャンネルのＰＭＴが記述されている場合には、このサブチャンネルのＰＭＴのＰＩＤのパケットが抽出され、このサブチャンネルのＰＭＴを参照することにより、所望のサブチャンネルのデータのパケットのＰＩＤが得られる。
【００７０】
ＣＤのジャケット等の静止画や、歌詞やアーチストの情報等のＧＵＩデータは、ＭＨＥＧ５方式に基づいて送られている。静止画像、音声等のモノメディアは、表示手順（ファイル情報、リンク情報、時刻情報、イベント）等を示すスクリプトと共にＭＨＥＧ５のコンテンツが作成される。作成されたコンテンツは、ＤＳＭ−ＣＣのフォーマットで伝送される。
【００７１】
図２に示した画面上で楽曲のリスト２１Ｂから楽曲が選択され、その楽曲のオーディオデータを試聴する場合には、選択された楽曲のオーディオデータがトランスポートＩＣ５３において抽出され、ＭＰＥＧオーディオデコーダ５４でデコードされ、ＤＡコンバータ５６でディジタル／アナログ変換された後、スイッチＳＷ１を通ってアナログオーディオ出力端子Ｔ３からテレビジョン受像機１４へ出力される。
【００７２】
この時、視聴者はリモコン６４を用いて、前述した各種操作を行うと、マンマシンインタフェース６１から制御用ＣＰＵ５８へ送られる。制御用ＣＰＵ５８は視聴者の操作に応じてＧＵＩデータを処理する。
【００７３】
例えば歌詞ボタン２２が押された場合には、付加データとして送られてきた歌詞のテキストデータがＭＰＥＧビデオデコーダ５５に供給される。そして、ＯＳＤ（On Screen Display ）機能を利用して画像データとされ、ＮＴＳＣ変換ブロック５７でコンポジットビデオ信号とされ、アナログビデオ出力端子Ｔ２からテレビジョン受像機へ出力される。これによって、テレビジョン受像機１４のスピーカから楽曲の音声が流れると同時に、その音声と同期して、画面のテキスト表示エリア２１Ｃに歌詞が表示される。
【００７４】
図２に示した画面上でダウンロードボタン２８が押され、楽曲のオーディオデータをダウンロードする際には、このダウンロードボタン２８に対応するサブチャンネルに設定される。このメインチャンネルのＰＭＴを参照して、指定されたサブチャンネルのＰＭＴを抽出するためのＰＩＤが指定される。そして、サブチャンネルのＰＭＴから、サブチャンネルで送られるＭＰＥＧ方式で圧縮されたオーディオ、ＡＴＲＡＣで圧縮されたオーディオデータ、付加データのＰＩＤが指定される。
【００７５】
このサブチャンネルのＰＩＤを参照して、トランスポートＩＣ５３から、ＭＰＥＧ方式で圧縮されたオーディオデータ、ＡＴＲＡＣで圧縮されたオーディオデータ、付加でータが抽出される。
【００７６】
ＩＥＥＥ１３９４インタフェース６０にＩＥＥＥ１３９４対応のストレージデバイスが接続されている場合には、トランスポートＩＣ５３において、４倍速ＡＴＲＡＣデータが選択され、ＩＥＥＥ１３９４インタフェース６０を介してそのままストレージデバイスに送出される。
【００７７】
光ディジタル出力インタフェース５９にＩＥＣ９５８対応機器が接続されている場合には、トランスポートＩＣ５３においてＭＰＥＧオーディオデータが選択され、このＭＰＥＧオーディオデコーダ５４でデコードされた後、光ディジタル出力インタフェース５９を介してストレージデバイスに送出される。そして、アナログオーディオ出力端子Ｔ４にストレージデバイスが接続されている場合には、ＭＰＥＧオーディオデータが選択され、ＭＰＥＧオーディオデコーダ５４でデコードし、さらにＤＡコンバータ５６でアナログ化した後、ストレージデバイスに送出される。
【００７８】
図４に示したように、ＧＵＩ用のデータとしては、表示用のファイルＦ１、Ｆ１１、Ｆ２１と、ダウンロード用のファイルＦ２、Ｆ１２、Ｆ２２が送られてくる。表示用のファイルＦ１、Ｆ１１、Ｆ２１は、テキストデータの場合には、文字放送多重コードのサブセットであり、静止画像の場合には、ＪＰＥＧ画像で、画面サイズがジャケット表示エリア２１Ｄ（図２）に収まるような小サイズとされる。また、ダウンロード用のファイルＦ２、Ｆ１２、Ｆ２２は、ＡＳＣＩＩコードやミュージックシフトＪＩＳコードであり、静止画像の場合には、ＪＰＥＧ画像で、画面一杯に表示されるような大サイズである。
【００７９】
図４に示すように、ファイルに付加されたヘッダには、文字コード種等の情報が設けられているので、このヘッダを見ることにより、表示用のファイルかダウンロード用のファイルかが識別できる。表示用のファイルなら、ＣＰＵ５８で展開され、メインとなる映像に重畳されて表示される。ダウンロード用のファイルなら、ストレージデバイスに１３（例えば、ＭＤレコーダ／プレーヤ）に送られる。この場合、ＩＥＥＥ１３９４のインターフェースを使うと、テキストデータや静止画データをそのままストレージデバイス１３に送ることが可能である。
【００８０】
図８は、このときの処理を示すフローチャートである。図８に示すように、ＭＨＥＧスクリプトのコンテンツのデータが受信され（ステップＳ１）、セクションデータからＴＳパケットが切り出される（ステップＳ２）。ＴＳパケットからデータブロックが切り出され（ステップＳ３）、データブロックが結合される（ステップＳ４）。そして、ファイルヘッダがチェックされる（ステップＳ５）。このファイルヘッダから、このファイルは表示用か否かが判断される（ステップＳ６）。表示用のファイルなら、画面表示用に使用される（ステップＳ７）。
【００８１】
ファイルが表示用でなければ、ダウンロード用か否かが判断される（ステップＳ８）。ダウンロード用のファイルなら、接続されたストレージデバイスに送られる（ステップＳ９）。ダウンロード用のファイルであければ、その他のスクリプト時に使用するものとして取り込まれる（ステップＳ１０）。
【００８２】
【発明の効果】
この発明によれば、付加データとして、互いに同一の内容で表示形式の異なる表示用のデータとダウンロード用のデータとを送るようにしている。すなわち、画面表示用の文字放送多重コードのサブセットのテキストデータと、ダウンロード用のＡＳＣＩＩコードやミュージックシフトＪＩＳコードのテキストデータとの２つのフォーマットで、同一のテキストデータを送信している。また、静止画像についても、表示用の小さめの画サイズのものと、ダウンロード用の大きめの画サイズのものの、２つのサイズのものが形成される。このため、付加データを直接表示したり、ストリージデバイスに送ることができ、フォーマット変換が不要である。
【図面の簡単な説明】
【図１】この発明が適用された音楽コンテンツ配信システムの一例の全体構成を示すブロック図である。
【図２】図１に示したシステムにおけるテレビジョン受像機に表示される画面の一例を示す図である。
【図３】図１に示したシステムにおける送信側の構成の一例を示すブロック図である。
【図４】図１に示したシステムにおいて送信されるファイルの一例の構造を示す図である。
【図５】図１に示したシステムにおいて送信されるデータの一例の構造を示す図である。
【図６】図１に示したシステムにおけるＩＲＤとストレージデバイスとの接続関係を示す説明図である。
【図７】図１に示したシステムにおけるＩＲＤの構成の一例を示すブロック図である。
【図８】受信時のファイルの検出の説明に用いるフローチャートである。
【符号の説明】
３・・・受信設備，１２・・・ＩＲＤ，１３・・・ストレージデバイス，１４・・・テレビジョン受像機，
【図１】
0003991457.tif 000002
【図２】
0003991457.tif 000003
【図３】
0003991457.tif 000004
【図４】
0003991457.tif 000005
【図５】
0003991457.tif 000006
【図６】
0003991457.tif 000007
【図７】
0003991457.tif 000008
【図８】
0003991457.tif 000009